(57)【要約】【課題】  施工不良の発生を抑える。【解決手段】  建物側壁３に壁パネル集合体１３を構成した後、壁パネル集合体１３の上下長さ及び左右長さを実測して、その長さに対応した長さに縁材４６を切断し、縁材４６をかくし釘３６で建物側壁３に固定する。壁パネル４１、４４が、連結部材４８を介して建物側壁３に強固に固定されているので、縁材４６には壁パネル４１、４４を固定する機能は要求されない。そのため、縁材４６をかくし釘３６で建物側壁３に固定することが出来るものである。【選択図】  図２
2005351014.tif 000002
【特許請求の範囲】
【請求項１】
建物側壁に取り付けられる、所要枚の、正面視矩形の壁パネルと、壁パネルによって構成された壁パネル集合体の縁部に取り付けられる所要本の縁材と、壁パネル同士及び壁パネルと縁材とを連結する所要個の連結部材とを有し、前記壁パネルの４周縁部には連結溝が形成され、前記連結部材は、建物側壁に当接する、前後方向に貫通する所要個の貫通孔を有する本体と、この本体の相互に対向する縁部に設けられた、連結溝に嵌まる一対の連結突起とを有し、前記縁材の、壁パネルに対向する縁部に連結溝が形成され、前記壁パネルの連結溝の後部壁は、連結部材の本体を逃げるように連結溝の前部壁より短くなされ、また、前記縁材の連結溝の後部壁は、連結部材の本体を逃げるように連結溝の前部壁より短くなされ、前記連結突起が連結溝に嵌められた状態で貫通孔が一方の連結溝の前部壁にのみ対向するようになされている建材の組み合わせ。
【請求項２】
建物側壁に取り付けられる、所要枚の、正面視矩形の壁パネルと、壁パネルによって構成された壁パネル集合体の縁部に取り付けられる所要本の縁材と、壁パネル同士及び壁パネルと縁材とを連結する所要個の軟質素材からなる連結部材とを有し、前記壁パネルの４周縁部には連結溝が形成され、前記連結部材は、建物側壁に当接する本体と、この本体の相互に対向する縁部に設けられた、連結溝に嵌まる一対の連結突起とを有し、前記縁材の、壁パネルに対向する縁部に連結溝が形成され、前記壁パネルの連結溝の後部壁は、連結部材の本体を逃げるように連結溝の前部壁より短くなされ、また、前記縁材の連結溝の後部壁は、連結部材の本体を逃げるように連結溝の前部壁より短くなされている建材の組み合わせ。
【請求項３】
前記連結部材の本体に前方及び連結突起が設けられていない対向縁に開放した溝が形成され、この溝の深さが、本体を貫通させられる、ねじ・釘等の固定具の頭が嵌まり込む深さとなされている請求項１又は２記載の建材の組み合わせ。
【発明の詳細な説明】
【技術分野】
【０００１】
本発明は建材の組み合わせに関する。
【背景技術】
【０００２】
本願出願人は図９〜図１６に示す建材の組み合わせを既に出願している（特願２００３−３９，１０９号出願）。
以下、図９〜図１６を参照しつつ、出願済みの建材の組み合わせについて説明する。なお、この説明において、前とは図９紙面表側を、後とは同裏側をいい、左とは図９左側を、右とは同図右側をいう。
【０００３】
図９〜図１６には、部屋１の建物側壁３に建材の組み合わせを施工した状態が示されている。
【０００４】
建物側壁３に前面形状が矩形の第１の壁パネル８及び前面形状が矩形の第２の壁パネル９が所望の配置で（施主の希望に応じた配置で）取り付けられている。第１縁材１０が、第１の壁パネル８及び第２の壁パネル９の群からなる壁パネル集合体１３の左側縁に当接するようにして建物側壁３に取り付けられ、また、別の第１縁材１０が壁パネル集合体１３の下縁に当接するようにして建物側壁３に取り付けられている。更に、第２縁材１１が壁パネル集合体１３の右側縁に当接するようにして建物側壁３に取り付けられると共に別の第２縁材１１が壁パネル集合体１３の上縁に当接するようにして建物側壁３に取り付けられている。
【０００５】
下側の第１縁材１０、左側の第１縁材１０、第１の壁パネル８及び第２の壁パネル９は、後述の張出部１８からねじ３５を建物側壁３にねじ込むことにより、建物側壁３に強固に固定されている。また、上側の第２縁材１１及び右側の第２縁材１１は、所要本のかくし釘３６（目立たないように頭がない釘）により建物側壁３に固定されている。
【０００６】
前記第１の壁パネル８は中質繊維板（ＭＤＦ）等の木質系素材で構成されている。前記第１の壁パネル８の相互に隣接する２辺にさね１６が形成され、第１の壁パネル８の残りの２辺にさね１６が嵌まる嵌合凹所１７が形成され、嵌合凹所１７の後部縁に外方に張り出した張出部１８が連設され、前記さね１６の後方に張出部１８が嵌まり込む凹段部１９が形成されている。
【０００７】
前記第２の壁パネル９は以下の構成を除いて第１の壁パネル８と同様の構成を有している。第２の壁パネル９には上下２本の長手方向を左右方向に向けた溝２１が形成され、これら溝２１に金属製押出型材等からなる被取付部材用レール２２が埋設固定されている（図１６参照）。
【０００８】
前記被取付部材用レール２２には、前方に向かって下り傾斜の下方に凸となる湾曲の嵌合溝２３が形成されている。被取付部材用レール２２に取り付けられる棚２５の基部（後部）に連結具２６が取り付けられ、この連結具２６に、嵌合溝２３に嵌まる嵌合突起２７が設けられている。棚２５の前端を上にするようにして嵌合突起２７を嵌合溝２３に嵌めた後、図１６の矢印Ｋのように棚２５を水平とする。そうすると、嵌合突起２７は嵌合溝２３に完全に嵌まり、棚２５に自重による図１６における反時計方向のモーメントが作用して、棚２５は被取付部材用レール２２に完全固定される。
【０００９】
図１０及び図１２に示すごとく、前記第１縁材１０の長手縁部に、第１の壁パネル８又は第２の壁パネル９のさね１６が嵌まる嵌合凹所１７及び第１の壁パネル８又は第２の壁パネル９の凹段部１９に嵌まる張出部１８が形成されている。
【００１０】
図１４及び図１５に示すごとく、前記第２縁材１１の長手縁部に、第１の壁パネル８又は第２の壁パネル９の嵌合凹所１７に嵌まるさね１６及び第１の壁パネル８又は第２の壁パネル９の張出部１８が嵌まる凹段部１９が形成されている。
なお、第１縁材１０及び第２縁材１１は、中質繊維板（ＭＤＦ）等の木質系素材で構成されている。
【００１１】
次に前記建材の組み合わせの施工方法を説明する。
下側の第１縁材１０及び左側の第１縁材１０を建物側壁３に取り付ける。
その後、第１の壁パネル８及び第２の壁パネル９を下の段から順次上の段に向けて建物側壁３に取り付ける。なお、その際、さね１６を嵌合凹所１７に嵌合させることは云うまでもない。
その後、右側の第２縁材１１及び上側の第２縁材１１を建物側壁３に取り付ける。なお、その際、さね１６を嵌合凹所１７に嵌合させることは云うまでもない。
なお、第１縁材１０同士、第２縁材１１同士及び第１縁材１０と第２縁材１１との突合せ端面は、相互に付き合う縁材が９０度となるように、正面視において外側面と４５度をなす傾斜面となされている。
【特許文献１】特願２００３−３９，１０９号出願
【発明の開示】
【発明が解決しようとする課題】
【００１２】
前記建材の組み合わせには以下の如き欠点があった。
段落番号００１１で述べたごとく、施工の最初に、下側の第１縁材１０及び左側の第１縁材１０を建物側壁３に取り付けることが必要である。その理由は以下の通りである。下側の第１縁材１０及び左側の第１縁材１０の固定は、張出部１８からねじ３５を建物側壁３にねじ込むことにより行われること、及び、最下の第１の壁パネル８及び最下の第２の壁パネル９の下縁部はさね１６を嵌合凹所１７に嵌合させることにより下側の第１縁材１０を介して建物側壁３に強固に固定されると共に、一番左側の第１の壁パネル８及び一番左側の第２の壁パネル９の左縁部はさね１６を嵌合凹所１７に嵌合させることにより左側の第１縁材１０を介して建物側壁３に強固に固定されるようになっていることのためである。要するに、下側の第１縁材１０及び左側の第１縁材１０は、第１の壁パネル８及び第２の壁パネル９の固定部材をも兼ねているので、後からかくし釘３６（強固に第１縁材１０を固定することが出来ないもの）で下側の第１縁材１０及び左側の第１縁材１０を固定することは出来ないのである。そのため、下側の第１縁材１０及び左側の第１縁材１０を、壁パネル集合体１３の左右長さ及び上下長さを勘案して、それに対応した長さに切断して、建物側壁３に取り付けことになる。しかし、第１の壁パネル８及び第２の壁パネル９の繋ぎ合わせによって構成される壁パネル集合体１３の左右長さ及び上下長さは、施工精度や、嵌合凹所１７に入り込む異物によって、設計通りにはいかない。そのため、予め切断した第１縁材１０の長さと、壁パネル集合体１３の左右長さ又は上下長さとにずれが生じ、施工不良の確率を大ききするという欠点があった。
【課題を解決するための手段】
【００１３】
本発明は前記欠点を解消するために以下の如き手段を採用した。
（１）請求項１の発明は、建物側壁に取り付けられる、所要枚の、正面視矩形の壁パネルと、壁パネルによって構成された壁パネル集合体の縁部に取り付けられる所要本の縁材と、壁パネル同士及び壁パネルと縁材とを連結する所要個の連結部材とを有し、前記壁パネルの４周縁部には連結溝が形成され、前記連結部材は、建物側壁に当接する、前後方向に貫通する所要個の貫通孔を有する本体と、この本体の相互に対向する縁部に設けられた、連結溝に嵌まる一対の連結突起とを有し、前記縁材の、壁パネルに対向する縁部に連結溝が形成され、前記壁パネルの連結溝の後部壁は、連結部材の本体を逃げるように連結溝の前部壁より短くなされ、また、前記縁材の連結溝の後部壁は、連結部材の本体を逃げるように連結溝の前部壁より短くなされ、前記連結突起が連結溝に嵌められた状態で貫通孔が一方の連結溝の前部壁にのみ対向するようになされているものである。
（２）請求項２の発明は、建物側壁に取り付けられる、所要枚の、正面視矩形の壁パネルと、壁パネルによって構成された壁パネル集合体の縁部に取り付けられる所要本の縁材と、壁パネル同士及び壁パネルと縁材とを連結する所要個の軟質素材からなる連結部材とを有し、前記壁パネルの４周縁部には連結溝が形成され、前記連結部材は、建物側壁に当接する本体と、この本体の相互に対向する縁部に設けられた、連結溝に嵌まる一対の連結突起とを有し、前記縁材の、壁パネルに対向する縁部に連結溝が形成され、前記壁パネルの連結溝の後部壁は、連結部材の本体を逃げるように連結溝の前部壁より短くなされ、また、前記縁材の連結溝の後部壁は、連結部材の本体を逃げるように連結溝の前部壁より短くなされているものである。
（３）請求項３の発明は、前記連結部材の本体に前方及び連結突起が設けられていない対向縁に開放した溝が形成され、この溝の深さが、本体を貫通させられる、ねじ・釘等の固定具の頭が嵌まり込む深さとなされている請求項１又は２記載のものである。
なお、この明細書において、軟質素材とは、それに何らの加工も施すことなく、ねじ・釘等の固定具をねじ込み又は打ち込むことにより、固定具の固定が出来る木質系素材又はそれに近似した性質を有する合成樹脂素材をいう。
【発明の効果】
【００１４】
本発明は前記した如き構成によって以下の如き効果を奏する。
（１）請求項１及び２の発明によれば、段落番号００２３で述べるごとく、連結部材を利用して壁パネルを建物側壁に強固に固定した後、縁材を取り付けることが出来るので、即ち、縁材の後付けが可能であるので、壁パネル集合体の左右長さ及び上下長さにピッタリと対応した縁材を取り付けることが出来る。
（２）請求項３の発明によれば、連結部材を固定する、ねじ・釘等の固定具の頭を逃がす孔を本体に加工する手間が省ける。
【発明を実施するための最良の形態】
【００１５】
以下に図１〜図８を参照しつつ本発明の実施の形態を説明する。
なお、この説明において、前とは図１紙面表側を、後とは同裏側をいい、左とは図１左側を、右とは同図右側をいう。また、図９〜図１６に示す部材と同一の部材は同一の符号で示す。
【００１６】
図１〜図７には、部屋１の建物側壁３に建材の組み合わせを施工した状態が示されている。
【００１７】
正面視矩形の第１の壁パネル４１は、中質繊維板（ＭＤＦ）等の木質系素材で構成されている。第１の壁パネル４１の４周縁部には連結溝４２が形成され、前記第１の壁パネル４１の連結溝４２の後部壁４２ｂは、後述の連結部材４８の本体５０を逃げるように連結溝４２の前部壁４２ａより短くなされている。
【００１８】
正面視矩形の第２の壁パネル４４は以下の構成を除いて第１の壁パネル４１と同様の構成を有している。第２の壁パネル４４には、従来の第２の壁パネル９と同様に被取付部材用レール２２が設けられている。
【００１９】
前記縁材４６は中質繊維板（ＭＤＦ）等の木質系素材で構成されている。前記縁材４６の、壁パネル４１、４４に対向する縁部に連結溝４２が形成されている。前記縁材４６の連結溝４２の後部壁４２ｂは、後述の連結部材４８の本体５０を逃げるように連結溝４２の前部壁４２ａより短くなされている。
【００２０】
壁パネル４１、４４を連結し、また、壁パネル４１、４４と縁材４６とを連結する連結部材４８は軟質素材で構成されている。前記連結部材４８は、壁パネル４１、４４の縁に沿う長尺材であるが、縦に使用される連結部材４８の端部と横に使用される連結部材４８の端部とが衝突・干渉しないように、長さ調節が図られていることはいうまでもない。
【００２１】
前記連結部材４８は、建物側壁３に当接する、前後方向に貫通する所要個の貫通孔４９を有する本体５０と、この本体５０の相互に対向する縁部に設けられた、連結溝４２に嵌まる一対の連結突起５１とを有している。前記連結突起５１が連結溝４２に嵌められた状態で貫通孔４９が一方の連結溝４２の前部壁４２ａにのみ対向するようになされている。
前記連結部材４８の本体５０に、前方及び連結突起５１が設けられていない対向縁に開放した溝５２が形成され、この溝５２の深さが、本体５０を貫通させられるねじ３５の頭が嵌まり込む深さとなされている
【００２２】
次に本発明の実施の形態の施工方法の１例を説明する。
以下のようにして、壁パネル４１、４４を建物側壁３の所定位置に連結部材４８を使用して取り付けて、壁パネル集合体１３を構成する。なお、連結部材４８の固定は貫通孔４９を通じてねじ３５を建物側壁３にねじ込むことにより行われる。
まず、一番下で且つ一番左の第１の壁パネル４１（図１参照）を以下のようにして取り付ける。下側の連結部材４８を、貫通孔４９側が下側に向くようにして且つ長手方向が左右方向を向くようにして、取り付ける（図２参照）。
その後、当該連結部材４８の上側の連結突起５１に第１の壁パネル４１の下側の連結溝４２を嵌合させて、連結部材４８に壁パネル４１を支持させる。
その後、当該第１の壁パネル４１の左縁、右縁、上縁の連結溝４２に、貫通孔４９が第１の壁パネル４１の外方に位置するようにして、連結部材４８の連結突起５１を嵌め、連結部材４８を建物側壁３に取り付ける。
その後、既に建物側壁３に取り付けられた第１の壁パネル４１の右に第２の壁パネル４４を以下のようにして取り付ける。下側の連結部材４８を、貫通孔４９側が下側に向くようにして且つ長手方向が左右方向を向くようにして、取り付ける。
その後、下側の連結部材４８の連結突起５１及び既に取り付けられている連結部材４８（第１の壁パネル４１の右に位置するもの）の連結突起５１に、第２の壁パネル４４の下縁及び左縁の連結溝４２を嵌合させる。
その後、第２の壁パネル４４の右縁及び上縁の連結溝４２に、貫通孔４９が第２の壁パネル４４の外方に位置するようにして、連結部材４８の連結突起５１を嵌め、連結部材４８を建物側壁３に取り付ける。
その後、同様にして、更に右側に第１の壁パネル４１を取り付ける。
その後、一番下で且つ一番左の第１の壁パネル４１の上側の連結部材４８の連結突起５１に第２の壁パネル４４の下側の連結溝４２を嵌合させる。
その後、当該第２の壁パネル４４の左縁、右縁、上縁の連結溝４２に、貫通孔４９が第２の壁パネル４４の外方に位置するようにして、連結部材４８の連結突起５１を嵌め、連結部材４８を建物側壁３に取り付ける。
その後、下の段と同様に、横に並ぶように、第１の壁パネル４１及び第２の壁パネル４４を取り付ける。
このようにして、壁パネル集合体１３を構成する。
【００２３】
上記のようにして、壁パネル集合体１３を構成した後、壁パネル集合体１３の上下長さ及び左右長さを実測して、その長さに対応した長さに縁材４６を切断し、縁材４６をかくし釘３６で建物側壁３に固定する。壁パネル４１、４４が連結部材４８を介して建物側壁３に強固に固定されているので、縁材４６には、壁パネル４１、４４を固定する機能は要求されない。そのため、縁材４６をかくし釘３６で建物側壁３に固定することが出来るものである。
【００２４】
壁パネル４１、４４同士の前部及び壁パネル４１、４４の前部と縁材４６の前部との間には２ｍｍ程度の間隙が形成されるようになされている。
【００２５】
図８には、第３の壁パネル５４が示されている。この第３の壁パネル５４は、連結溝４２を４周縁部に有する正面視矩形のパネル本体５５と、このパネル本体５５に面接合ファスナー（図示略）等により着脱自在となされた正面視矩形の着脱板５６と、この着脱板５６の前面を覆うとともに後面の縁部に被る大きさを有し、且つ、面接合ファスナー（図示略）等により着脱板５６に着脱自在となされた布等の可撓性化粧シート５７とを有している。この第３の壁パネル５４は、可撓性化粧シート５７の交換により、意匠的変化を簡単に行うことが出来る。
【００２６】
以下に変形例等について説明を加える。
（１）建材の組み合わせを構成する壁パネルは、１種類であっても、複数の種類のものであってよい。
（２）壁パネルは複数の大きさのもので建材の組み合わせを構成するようにしてもよい。ただ、壁パネルで構成される壁パネル集合体が矩形となるようにする場合、壁パネルの前面の左右長さを、「（ｎ×Ｗ）＋（ｎ−１）×α）とし、上下長さを、「（ｍ×Ｈ）＋（ｍ−１）×α」とすればよい。上記において、「Ｗ」・「Ｈ」は基準長さで、「ｎ」・「ｍ」は任意の整数である。また、「α」は壁パネル同士の前部の間隙の長さである。
（３）壁パネルの素材は木質系素材に限定されない。
（４）縁材の素材は木質系素材に限定されない。
（５）実施の形態では連結部材４８の素材が軟質素材であるので、貫通孔４９は形成しない場合もある。
（６）連結部材の素材は金属であってもよい。連結部材は長尺材でなくてもよい。
（７）特許請求の範囲における所要枚の壁パネルには１枚の壁パネルを含むものである。また、縁材は切断して使用することが出来るので、特許請求の範囲における所要本の縁材には１本の縁材を含むものである。
（８）実施の形態では縁材は１種類であるが、縁材を縦用の縁材と横用の縁材の２種類としてもよい。
（９）縁材を接着等により建物側壁に固定するようにしてもよい。
【図面の簡単な説明】
【００２７】
【図１】本発明の実施の形態を示す簡略正面図である。
【図２】図１のＩＩ−ＩＩ線拡大断面図である。
【図３】図１のＩＩＩ−ＩＩＩ線拡大断面図である。
【図４】図１のＩＶ−ＩＶ線拡大断面図である。
【図５】図１のＶ−Ｖ線拡大断面図である。
【図６】図１のＶＩ−ＶＩ線拡大断面図である。
【図７】図１のＶＩＩ−ＶＩＩ線拡大断面図である。
【図８】壁パネルの変形例の中間省略の縦断面図である。
【図９】出願済みの建材の組み合わせを示す簡略正面図である。
【図１０】図９のＡ−Ａ線拡大断面図である。
【図１１】図９のＢ−Ｂ線拡大断面図である。
【図１２】図９のＣ−Ｃ線拡大断面図である。
【図１３】図９のＤ−Ｄ線拡大断面図である。
【図１４】図９のＥ−Ｅ線拡大断面図である。
【図１５】図９のＦ−Ｆ線拡大断面図である。
【図１６】図９のＧ−Ｇ線に沿う中間省略の拡大断面図である。
【符号の説明】
【００２８】
４１  第１の壁パネル
４２  連結溝
４２ａ  前部壁
４２ｂ  後部壁
４４  第２の壁パネル
４６  縁材
４８  連結部材
４９  貫通孔
５０  本体
５１  連結突起
【図１】
2005351014.tif 000003
【図２】
2005351014.tif 000004
【図３】
2005351014.tif 000005
【図４】
2005351014.tif 000006
【図５】
2005351014.tif 000007
【図６】
2005351014.tif 000008
【図７】
2005351014.tif 000009
【図８】
2005351014.tif 000010
【図９】
2005351014.tif 000011
【図１０】
2005351014.tif 000012
【図１１】
2005351014.tif 000013
【図１２】
2005351014.tif 000014
【図１３】
2005351014.tif 000015
【図１４】
2005351014.tif 000016
【図１５】
2005351014.tif 000017
【図１６】
2005351014.tif 000018